(57)【特許請求の範囲】
【請求項１】
荷物の預け入れ、取り出しのための施解錠に解錠コードを利用するロッカー装置であるとともに、
前記荷物の預け入れ時に前記解錠コードを作成する解錠コード作成手段と、
前記解錠コード作成手段で作成した解錠コードを記憶する記憶手段と、
前記解錠コード作成手段で作成した解錠コードを印字出力する印字装置と、
前記荷物の取り出し時に解錠コードを手入力により入力する手入力手段と、
前記手入力手段により入力された解錠コードを前記記憶手段に記憶した解錠コードと照合し、両者が一致した場合に解錠を認証する認証手段と、
前記荷物の預け入れ、取り出しのための施解錠を制御し、前記解錠コードが前記手入力手段から入力されることにより、預け入れられている前記荷物の取り出しを可能とする制御手段と
を具備するロッカー装置であって、
前記荷物の預け入れ時、取り出し時に利用者のカードの固有のカードＩＤを利用者コードとして読み取る利用者コード読取手段を有し、
前記記憶手段は、前記荷物の預け入れ時に前記利用者コード読取手段により読み取った利用者コードを解錠コードとして記憶し、
前記認証手段は、前記荷物の取り出し時に前記利用者コード読取手段により読み取った利用者コードを前記記憶手段に記憶した解錠コードと照合し、両者が一致した場合に解錠を認証し、
前記制御手段は、前記利用者コード読取手段が動作不能のとき、前記カードに表示されているカードＩＤが前記手入力手段から入力されることにより、そのカードＩＤを利用して預け入れられている前記荷物の取り出しを可能とする
ことを特徴とするロッカー装置。
【請求項２】
荷物の預け入れ、取り出しのための施解錠に解錠コードを利用するロッカー装置であるとともに、
前記荷物の預け入れ時に前記解錠コードを作成する解錠コード作成手段と、
前記解錠コード作成手段で作成した解錠コードを記憶する記憶手段と、
前記解錠コード作成手段で作成した解錠コードを印字出力する印字装置と、
前記荷物の取り出し時に解錠コードを手入力により入力する手入力手段と、
前記手入力手段により入力された解錠コードを前記記憶手段に記憶した解錠コードと照合し、両者が一致した場合に解錠を認証する認証手段と、
前記荷物の預け入れ、取り出しのための施解錠を制御し、前記解錠コードが前記手入力手段から入力されることにより、預け入れられている前記荷物の取り出しを可能とする制御手段と
を具備するロッカー装置であって、
前記荷物の預け入れ時、取り出し時に利用者の携帯電話の電話番号を利用者コードとして読み取る利用者コード読取手段を有し、
前記記憶手段は、前記荷物の預け入れ時に前記利用者コード読取手段により読み取った利用者コードを解錠コードとして記憶し、
前記認証手段は、前記荷物の取り出し時に前記利用者コード読取手段により読み取った利用者コードを前記記憶手段に記憶した解錠コードと照合し、両者が一致した場合に解錠を認証し、
前記制御手段は、前記利用者コード読取手段が動作不能のとき、前記携帯電話の電話番号が前記手入力手段から入力されることにより、その電話番号を利用して預け入れられている前記荷物の取り出しを可能とする
ことを特徴とするロッカー装置。
【発明の詳細な説明】
【技術分野】
【０００１】
本発明は、荷物の一時預かりや受け渡しなどをするロッカー装置に関する。
【背景技術】
【０００２】
従来、例えば、駅などに設置されるコインロッカーとして、１つの集中制御装置と複数の収容室とを備え、１つの集中制御装置で複数の収容室における荷物の預け入れ、取り出しを集中制御する集中制御タイプで、荷物の預け入れ、取り出しのための施解錠に解錠コードを利用するロッカー装置がある。
【０００３】
解錠コードとしては利用者が設定する暗証番号を利用する場合があり、荷物の預け入れ時には、利用者が集中制御装置により暗証番号などを設定することにより、設定した暗証番号などを記憶部に記憶するとともにその内容を表示した伝票をプリンタでプリントアウトし、利用者が荷物を預け入れた収容室の扉を施錠している。また、荷物の取り出し時には、集中制御装置により利用者が伝票を確認して暗証番号などを入力することにより、入力した内容と記憶部に記憶している内容とが一致すれば、収容室の扉を解錠している（例えば、特許文献１参照）。
【０００４】
また、解錠コードとしては利用者の所有する携帯電話機の携帯電話番号を利用する場合があり、荷物の預け入れ時には、携帯電話機で指定された電話番号に発信することにより、発信により通知する携帯電話番号をロッカーの制御部で取得してメモリに記憶し、利用者が荷物を預け入れた収容室の扉を施錠している。また、荷物の取り出し時には、携帯電話機で指定された電話番号に発信することにより、発信された携帯電話番号をロッカーの制御部で取得し、取得した携帯電話番号とメモリに予め登録した携帯電話番号とが一致すれば、収容室の扉を解錠している（例えば、特許文献２参照）。
【特許文献１】特許第２８２６７３２号公報（第３−４頁、第１−４図）
【特許文献２】特開２００１−３２５６６０号公報（第４−５頁、図１−３）
【発明の開示】
【発明が解決しようとする課題】
【０００５】
従来のロッカー装置では、ロッカーを解錠する解錠コードとして、利用者が設定した暗証番号を利用したり、利用者の所有する携帯電話の携帯電話番号を利用するが、暗証番号の設定手段や携帯電話番号取得用の受信手段が故障すると、荷物の預け入れ、取り出しともできなくなる問題がある。
【０００６】
また、近年、利用者が設定した暗証番号を利用する機能と、携帯電話の携帯電話番号を利用する機能との両方の機能を有し、利用者の都合によりいずれかの機能を選択して利用可能なロッカー装置が実用化されているが、いずれかの機能が使用不能となった場合のロッカー装置の有効利用について考慮されているものはなかった。
【０００７】
本発明は、このような点に鑑みなされたもので、解錠コード処理機能の一部が使用不能となっても、他の使用可能な解錠コード処理機能を停止させることなく縮退運用でき、ロッカー利用効率をできる限り維持し、利用者へのサービス低下を低減できるロッカー装置を提供することを目的とする。
【課題を解決するための手段】
【０００８】
請求項１記載のロッカー装置は、荷物の預け入れ、取り出しのための施解錠に解錠コードを利用するロッカー装置であるとともに、前記荷物の預け入れ時に前記解錠コードを作成する解錠コード作成手段と、前記解錠コード作成手段で作成した解錠コードを記憶する記憶手段と、前記解錠コード作成手段で作成した解錠コードを印字出力する印字装置と、前記荷物の取り出し時に解錠コードを手入力により入力する手入力手段と、前記手入力手段により入力された解錠コードを前記記憶手段に記憶した解錠コードと照合し、両者が一致した場合に解錠を認証する認証手段と、前記荷物の預け入れ、取り出しのための施解錠を制御し、前記解錠コードが前記手入力手段から入力されることにより、預け入れられている前記荷物の取り出しを可能とする制御手段とを具備するロッカー装置であって、前記荷物の預け入れ時、取り出し時に利用者のカードの固有のカードＩＤを利用者コードとして読み取る利用者コード読取手段を有し、前記記憶手段は、前記荷物の預け入れ時に前記利用者コード読取手段により読み取った利用者コードを解錠コードとして記憶し、前記認証手段は、前記荷物の取り出し時に前記利用者コード読取手段により読み取った利用者コードを前記記憶手段に記憶した解錠コードと照合し、両者が一致した場合に解錠を認証し、前記制御手段は、前記利用者コード読取手段が動作不能のとき、前記カードに表示されているカードＩＤが前記手入力手段から入力されることにより、そのカードＩＤを利用して預け入れられている前記荷物の取り出しを可能とするものである。
【０００９】
請求項２記載のロッカー装置は、荷物の預け入れ、取り出しのための施解錠に解錠コードを利用するロッカー装置であるとともに、前記荷物の預け入れ時に前記解錠コードを作成する解錠コード作成手段と、前記解錠コード作成手段で作成した解錠コードを記憶する記憶手段と、前記解錠コード作成手段で作成した解錠コードを印字出力する印字装置と、前記荷物の取り出し時に解錠コードを手入力により入力する手入力手段と、前記手入力手段により入力された解錠コードを前記記憶手段に記憶した解錠コードと照合し、両者が一致した場合に解錠を認証する認証手段と、前記荷物の預け入れ、取り出しのための施解錠を制御し、前記解錠コードが前記手入力手段から入力されることにより、預け入れられている前記荷物の取り出しを可能とする制御手段とを具備するロッカー装置であって、前記荷物の預け入れ時、取り出し時に利用者の携帯電話の電話番号を利用者コードとして読み取る利用者コード読取手段を有し、前記記憶手段は、前記荷物の預け入れ時に前記利用者コード読取手段により読み取った利用者コードを解錠コードとして記憶し、前記認証手段は、前記荷物の取り出し時に前記利用者コード読取手段により読み取った利用者コードを前記記憶手段に記憶した解錠コードと照合し、両者が一致した場合に解錠を認証し、前記制御手段は、前記利用者コード読取手段が動作不能のとき、前記携帯電話の電話番号が前記手入力手段から入力されることにより、その電話番号を利用して預け入れられている前記荷物の取り出しを可能とするものである。
【発明の効果】
【００１０】
請求項１記載のロッカー装置によれば、利用者コード読取手段が動作不能となって利用者のカードから固有のカードＩＤを読み取れなくなったとき、荷物の預け入れはできなくなっても、カードに表示されているカードＩＤの手入力により荷物の取り出しはできるので、解錠コード処理機能の一部が使用不能となっても、他の使用可能な解錠コード処理機能を停止させることなく縮退運用でき、ロッカー利用効率をできる限り維持し、利用者へのサービス低下を低減できる。
【００１１】
請求項２記載のロッカー装置によれば、利用者コード読取手段が動作不能となって利用者の携帯電話から電話番号を読み取れなくなったとき、荷物の預け入れはできなくなっても、携帯電話の電話番号の手入力により荷物の取り出しはできるので、解錠コード処理機能の一部が使用不能となっても、他の使用可能な解錠コード処理機能を停止させることなく縮退運用でき、ロッカー利用効率をできる限り維持し、利用者へのサービス低下を低減できる。
【発明を実施するための最良の形態】
【００１２】
以下、本発明の一実施の形態を図面を参照して説明する。
【００１３】
図２にロッカー装置の正面図を示す。このロッカー装置11は、荷物の預け入れ、取り出しのための施解錠に解錠コードを利用するもので、１台の集中制御部ユニット12と、この集中制御部ユニット12の側部に並設される複数台の収容室ユニット13とを備えている。
【００１４】
集中制御部ユニット12は、箱形状の本体14を有し、この本体14の上下方向中間域に集中制御部15が配置され、この集中制御部15の上下部に荷物を入れる収容室16が形成されている。
【００１５】
各収容室ユニット13は、集中制御部ユニット12の本体14と同様に箱形状の本体14を有し、この本体14に集中制御部ユニット12の収容室16と同様の収容室16が上下方向に複数段形成されている。
【００１６】
集中制御部15の正面には、表示部および操作部として機能するタッチパネルディスプレイ17、硬貨を投入する硬貨投入口18、紙幣を投入する紙幣投入口19、投入貨幣の返却を指示する返却レバー20、解錠コードによる預け入れをした場合に解錠コードなどを印字したレシートを投出するレシート投出口21、利用者の所有する情報記録担体として例えば非接触式ＩＣカードによる預け入れおよび取り出しをする場合に非接触式ＩＣカードの固有のカードＩＤを利用者コードとして読み取るカードＲ／Ｗ（カードリーダライタ）22、釣銭を払い出す釣銭払出口23、集中制御部15を操作する利用者を撮影するカメラ24、ロッカー利用についての音声案内などを発するスピーカ25などが設けられている。また、集中制御部15の内部には、ＣＰＵやメモリなどを有する制御部26（図１参照）を含む電気機器や、各電気機器に電源を供給する電源ユニットなどが配置されている。
【００１７】
各収容室16は、本体14の前面に開口形成され、その前面開口を開閉する扉27が一側である左側部に設けられる図示しないヒンジによって片開き可能に支持されている。
【００１８】
本体14における各収容室16の他側である右側面部には、扉27を例えばソレノイドなどの電気的駆動手段を用いて電気的に施錠する電気錠としての施錠ユニット28が設置されている。これら各施錠ユニット28は、集中制御部15の制御部26に電気的に接続され、この制御部26により集中的に制御される。各施錠ユニット28には、利用者が収容室16に荷物を入れて扉26を閉じた後に仮施錠させるために手動で操作する施錠レバー29が上下方向にスライド可能に設けられ、ロッカー装置11の管理者が持つ鍵を用いて手動解錠するためのシリンダ錠30が設けられている。
【００１９】
次に、図１にロッカー装置の制御関連のブロック図を示す。ロッカー装置11の制御部26には、解錠コードなどを手入力可能とする手入力手段32としてのタッチパネルディスプレイ17、カードＲ／Ｗ22、電話回線に接続されていて利用者の所有する携帯電話の発信により通知されてくる携帯電話番号を取得する通信手段としてのモデム33、解錠コードなどを記憶する記憶手段34、解錠コードを提示する解錠コード提示手段35であって解錠コードなどを印字したレシートを発行する印字装置36、各施錠ユニット28が接続されている。
【００２０】
ロッカー装置11により荷物の預け入れ、取り出しのための施錠ユニット28の施解錠に利用する解錠コードとしては、ロッカー装置11側で自動作成したロッカー作成コードや、利用者の所有する情報記録担体としての携帯電話の携帯電話番号および非接触式ＩＣカードの固有のカードＩＤなどの利用者コードがあり、いずれかを選択して利用できる。
【００２１】
非接触式ＩＣカードの固有のカードＩＤを利用者コードとして読み取るカードＲ／Ｗ22や、携帯電話の発信により通知する携帯電話番号を利用者コードとして取得するモデム33が、荷物の預け入れ時、取り出し時に利用者の情報記録担体から固有の利用者コードを読み取る利用者コード読取手段38として構成されている。
【００２２】
そして、制御部26は、解錠コード（ロッカー作成コード）による預け入れ時に解錠コード（ロッカー作成コード）を作成する解錠コード作成手段39の機能、解錠コード作成手段39で作成した解錠コード（ロッカー作成コード）を印字装置36によりレシートに印字して出力させる機能、カードＩＤや携帯電話番号などの利用者コードによる荷物の預け入れ時、取り出し時にカードＲ／Ｗ22やモデム33を通じて利用者コードを取得する機能、預け入れ時に解錠コード作成手段39で作成した解錠コード（ロッカー作成コード）またはカードＲ／Ｗ22やモデム33を通じて取得した利用者コードを記憶手段34に記憶させる機能、取り出し時にタッチパネルディスプレイ17で手入力される解錠コード（ロッカー作成コード）または利用者コードを受け付ける機能、取り出し時にタッチパネルディスプレイ17により入力された解錠コード（ロッカー作成コード）またはカードＲ／Ｗ22やモデム33を通じて取得した利用者コードを記憶手段34に記憶されている解錠コードと照合し、両者が一致した場合に施錠ユニット28の解錠を認証する認証手段40の機能、荷物の預け入れ、取り出しのための施錠ユニット28の施解錠を制御する制御手段41の機能を有している。さらに、解錠コード提示手段35である印字装置36の故障や用紙切れによる動作不能、モデム33の故障による動作不能、カードＲ／Ｗ22の故障による動作不能、タッチパネルディスプレイ17の故障による動作不能を検知する動作不能検知手段42の機能を備えている。
【００２３】
制御手段41は、解錠コード処理機能の一部が使用不能となっても、他の使用可能な解錠コード処理機能を停止させることなく縮退運用する機能を有している。図３に示すように、縮退運用では、印字装置36が故障や用紙切れして動作不能のとき、解錠コード（ロッカー作成コード）による預け入れは禁止するが、解錠コード（ロッカー作成コード）をタッチパネルディスプレイ17により入力することによって取り出しは可能とする機能、モデム33が故障して動作不能になったとき、携帯電話番号による預け入れは禁止するが、携帯電話番号をタッチパネルディスプレイ17により入力することによって取り出しは可能とする機能、カードＲ／Ｗ22が故障して動作不能になったとき、カードＩＤによる預け入れは禁止するが、カードＩＤをタッチパネルディスプレイ17により入力することによって取り出しは可能とする機能を有している。なお、カードＩＤは、カードの裏面などに記載されている。
【００２４】
次に、ロッカー装置11の作用を説明する。
【００２５】
まず、図４において、荷物の預け入れ、取り出しの概略について説明する。
【００２６】
預け入れ時、利用者は、収容室16の扉27を開け、荷物を収容室16に入れて扉27を閉じ、施錠ユニット28の施錠レバー29を操作する。この施錠レバー29の操作により、制御部26は、施錠ユニット28で扉27を仮施錠し、その収容室16についての受付処理を実行する。
【００２７】
制御部26は、印字装置36、モデム33、カードＲ／Ｗ22の３つの受付機能の動作状況をチェックする（ステップ１）。
【００２８】
タッチパネルディスプレイ17で、預け入れ／取り出しを選択する受付画面を表示する（ステップ２）。
【００２９】
利用者がタッチパネルディスプレイ17で預け入れを要求したとき（ステップ３のＹＥＳ）、印字装置36、モデム33、カードＲ／Ｗ22の３つの預入受付機能の全てが動作不良の場合には預入不可とし（ステップ４のＹＥＳ）、いずれか１つでも正常の場合には預入処理（詳細は図５ないし図８に示す）を実行する（ステップ４のＮＯ、ステップ５）。なお、仮施錠のみを預入要求の条件とし、仮施錠がなされたときには即座にステップ４に進むようにしてもよい。また、受付機能の全てが動作不良の場合には、ステップ２のタッチパネルディスプレイ17による受付画面で預入要求ができないようにしてもよい。
【００３０】
また、利用者がタッチパネルディスプレイ17で取り出しを要求したとき（ステップ６のＹＥＳ）、タッチパネルディスプレイ17、モデム33、カードＲ／Ｗ22の３つの取出受付機能の全てが動作不良の場合には取出不可とし（ステップ７のＹＥＳ）、少なくともタッチパネルディスプレイ17が正常の場合には取出処理（詳細は図９ないし図１１に示す）を実行する（ステップ７のＮＯ、ステップ８）。なお、取出受付機能の全てが動作不良の場合には、ステップ２のタッチパネルディスプレイ17による受付画面で取出要求ができないようにしてもよい。
【００３１】
次に、図５において、預入処理について説明する。
【００３２】
仮施錠した収容室16の位置をタッチパネルディスプレイ17に表示し（ステップ11）、所定時間内に利用者に確認を求める（ステップ12のＮＯ、ステップ13のＮＯ）。
【００３３】
所定時間以内に利用者による確認操作がなされないときは（ステップ12のＹＥＳ）、中断処理をする（ステップ14）。この中断処理では、預入処理を中断し、タッチパネルディスプレイ17の表示を受付画面に戻し、仮施錠した収容室16を解錠する。
【００３４】
所定時間以内に利用者による確認操作がなされたときは（ステップ13のＹＥＳ）、タッチパネルディスプレイ17で、解錠コード（ロッカー作成コード）、携帯電話、非接触式ＩＣカードのいずれの受付方法で預け入れるかを選択するための受付方法選択画面を表示し（ステップ15）、所定時間内に利用者に確認を求める（ステップ16のＮＯ、ステップ17のＮＯ、ステップ18のＮＯ、ステップ19のＮＯ）。このとき、受付機能のチェックにより動作不良が確認された受付機能に関わる受付方法は表示しない。例えば、印字装置36の故障や用紙切れのときは、解錠コード（ロッカー作成コード）による受付項目は表示せず、他の携帯電話、非接触式ＩＣカードによる受付項目のみを表示する。
【００３５】
所定時間以内に利用者による受付方法の選択がなされないときは（ステップ16のＹＥＳ）、中断処理をする（ステップ20）。この中断処理では、預入処理を中断し、タッチパネルディスプレイ17の表示を受付画面に戻し、仮施錠した収容室16を解錠する。
【００３６】
いずれかの受付方法が選択された場合には（ステップ17のＹＥＳ、ステップ18のＹＥＳ、ステップ19のＹＥＳのいずれか）、該当する預入処理を実行する。
【００３７】
次に、図６において、解錠コード（ロッカー作成コード）による預入処理について説明する。
【００３８】
解錠コード（ロッカー作成コード）による預入処理が選択された場合には、タッチパネルディスプレイ17で、預入処理をする収容室16（仮施錠されている収容室16）の番号と利用料金とを表示し（ステップ30）、利用料金以上の貨幣の投入が所定時間内になされるのに待機する（ステップ31のＮＯ、ステップ32のＮＯ）。
【００３９】
利用料金以上の貨幣の投入が所定時間内になされない場合には（ステップ31のＹＥＳ）、中断処理をする（ステップ33）。この中断処理では、預入処理を中断し、タッチパネルディスプレイ17の表示を受付画面に戻し、仮施錠した収容室16を解錠する。
【００４０】
利用料金以上の貨幣の投入が所定時間内になされた場合には（ステップ32のＹＥＳ）、釣銭の払い出しが必要であれば釣銭を払い出す（ステップ34）。
【００４１】
制御部26の解錠コード作成手段39で解錠コード（ロッカー作成コード）を作成し、この解錠コード（ロッカー作成コード）、収容室16の番号、利用開始時刻などを関連付けて記憶手段34に記憶する（ステップ35）。
【００４２】
印字装置36により、解錠コード（ロッカー作成コード）や収容室16の番号などを印字したレシートを発行してこのレシートの一部をレシート投出口21から突出させ（ステップ36）、レシートの抜き取りが所定時間内になされるのに待機する（ステップ37のＮＯ、ステップ38のＮＯ）。
【００４３】
レシートを発行した時点で、仮施錠されている収容室16を使用中と認識して本施錠とする。なお、施錠ユニット28における仮施錠の状態と本施錠の状態とは機構的には同一の状態である。
【００４４】
レシートが所定時間内に抜き取られない場合は（ステップ37のＹＥＳ）、解錠コード（ロッカー作成コード）が他人に知られることを防止するためにレシートを内部に回収する（ステップ39）。これは、印字装置36に本来備わっている機能を利用する。
【００４５】
レシートが所定時間内に抜き取られた場合は（ステップ38のＹＥＳ）、解錠コード（ロッカー作成コード）による預入処理を完了する。
【００４６】
次に、図７において、携帯電話による預入処理について説明する。
【００４７】
携帯電話による預入処理が選択された場合には、タッチパネルディスプレイ17で、ロッカーの電話番号と利用者の所有する携帯電話からロッカーに電話をかけるように案内する画面を表示し（ステップ40）、携帯電話からの着信があって通知される携帯電話番号の取得が所定時間内になされるのに待機する（ステップ41のＮＯ、ステップ42のＮＯ）。
【００４８】
携帯電話からの着信があって通知される携帯電話番号の取得が所定時間内にない場合には（ステップ41のＹＥＳ）、中断処理をする（ステップ43）。この中断処理では、預入処理を中断し、タッチパネルディスプレイ17の表示を受付画面に戻し、仮施錠した収容室16を解錠する。
【００４９】
携帯電話からの着信があって通知される携帯電話番号の取得が所定時間内にあった場合には（ステップ42のＹＥＳ）、タッチパネルディスプレイ17で、預入処理をする収容室16（仮施錠されている収容室16）の番号と利用料金を表示し（ステップ44）、利用料金以上の貨幣の投入が所定時間内になされるのに待機する（ステップ45のＮＯ、ステップ46のＮＯ）。このとき、着信した相手先電話番号が、確かに利用者の携帯電話番号であるかを確認する処理をしてもよい。
【００５０】
利用料金以上の貨幣の投入が所定時間内になされない場合には（ステップ45のＹＥＳ）、中断処理をする（ステップ47）。この中断処理では、預入処理を中断し、タッチパネルディスプレイ17の表示を受付画面に戻し、仮施錠した収容室16を解錠する。
【００５１】
利用料金以上の貨幣の投入が所定時間内になされた場合には（ステップ46のＹＥＳ）、釣銭の払い出しが必要であれば釣銭を払い出す（ステップ48）。
【００５２】
制御部26は、取得した携帯電話番号、収容室16の番号、利用開始時刻などを関連付けて記憶手段34に記憶する（ステップ49）。この時点で、仮施錠されている収容室16を使用中と認識して本施錠とし、携帯電話による預入処理を完了する。
【００５３】
この携帯電話番号を解錠コードとする場合、利用者は解錠コードである携帯電話番号が分かるため、レシートを発行する必要はない。
【００５４】
次に、図８において、非接触式ＩＣカードによる預入処理について説明する。非接触式ＩＣカードとしては、電子マネー対応などの貨幣価値を有している場合とする。
【００５５】
非接触式ＩＣカードによる預入処理が選択された場合には、タッチパネルディスプレイ17で、預入処理をする収容室16（仮施錠されている収容室16）の番号と利用料金とを表示するとともに、利用者の所有する非接触式ＩＣカードをカードＲ／Ｗ22で読み取らせるように案内を表示し（ステップ50）、非接触式ＩＣカードのカード情報の取得が所定時間内になされるのに待機する（ステップ51のＮＯ、ステップ52のＮＯ）。
【００５６】
カード情報の取得が所定時間内にない場合には（ステップ51のＹＥＳ）、中断処理をする（ステップ53）。この中断処理では、預入処理を中断し、タッチパネルディスプレイ17の表示を受付画面に戻し、仮施錠した収容室16を解錠する。
【００５７】
非接触式ＩＣカードのカードＩＤおよび貨幣価値などのカード情報が所定時間内に取得された場合には（ステップ52のＹＥＳ）、非接触式ＩＣカードの有する貨幣価値による利用料金の引き落としが可能か判断する（ステップ54）。
【００５８】
非接触式ＩＣカードの有する貨幣価値の金額不足がない場合には（ステップ54のＮＯ）、非接触式ＩＣカードから貨幣価値から利用料金分を引き落とす（ステップ55）。
【００５９】
非接触式ＩＣカードの有する貨幣価値の金額不足がある場合には（ステップ54のＹＥＳ）、タッチパネルディスプレイ17で、利用料金を現金で支払うか、預け入れを中止するかを表示する（ステップ56）。
【００６０】
中止が選択された場合には、中断処理をする（ステップ57）。この中断処理では、預入処理を中断し、タッチパネルディスプレイ17の表示を受付画面に戻し、仮施錠した収容室16を解錠する。
【００６１】
現金が選択された場合には、タッチパネルディスプレイ17で、預入処理をする収容室16（仮施錠されている収容室16）の番号と利用料金を表示し（ステップ58）、利用料金以上の貨幣の投入が所定時間内になされるのに待機する（ステップ59のＮＯ、ステップ60のＮＯ）。
【００６２】
利用料金以上の貨幣の投入が所定時間内になされない場合には（ステップ59のＹＥＳ）、中断処理をする（ステップ61）。この中断処理では、預入処理を中断し、タッチパネルディスプレイ17の表示を受付画面に戻し、仮施錠した収容室16を解錠する。
【００６３】
利用料金以上の貨幣の投入が所定時間内になされた場合には（ステップ60のＹＥＳ）、釣銭の払い出しが必要であれば釣銭を払い出す（ステップ62）。
【００６４】
制御部26は、利用料金に関する処理が終了したら、取得したカードＩＤ、収容室16の番号、利用開始時刻などを関連付けて記憶手段34に記憶する（ステップ63）。この時点で、仮施錠されている収容室16を使用中と認識して本施錠とし、非接触式ＩＣカードによる預入処理を完了する。
【００６５】
この非接触式ＩＣカードを解錠コードとする場合、利用者は解錠コードであるカードＩＤが分かるため、レシートを発行する必要はない。
【００６６】
次に、図９において、取出処理について説明する。
【００６７】
利用者による取出要求があった場合には、タッチパネルディスプレイ17で、解錠コード（ロッカー作成コード）、携帯電話、非接触式ＩＣカードのいずれの受付方法で取り出すかを選択するための受付方法選択画面を表示し（ステップ70）、受付方法の選択が所定時間内になされるのに待機する（ステップ71のＮＯ、ステップ72のＮＯ、ステップ73のＮＯ、ステップ74のＮＯ）。
【００６８】
この取出処理の場合、預入処理とは異なり、受付機能のチェックにより動作不良が確認された受付機能があっても、基本的に取出処理は可能である。つまり、モデム33やカードＲ／Ｗ22が故障していても、タッチパネルディスプレイ17から携帯電話番号やカードＩＤを入力することにより、携帯電話や非接触式ＩＣカードによる受け付けで取出処理が可能である。また、解錠コード（ロッカー作成コード）による受け付けは、タッチパネルディスプレイ17が正常である限り、取出処理が可能である。
【００６９】
受付方法の選択が所定時間内になされないときは（ステップ71のＹＥＳ）、中断処理をする（ステップ75）。
【００７０】
いずれかの受付方法が所定時間内に選択された場合には（ステップ72のＹＥＳ、ステップ73のＹＥＳ、ステップ74のＹＥＳのいずれか）、該当する取出処理を実行する。
【００７１】
次に、図１０において、解錠コード（ロッカー作成コード）による取出処理について説明する。この解錠コード（ロッカー作成コード）による取出処理では、印字装置36が動作不可になっていても、印字装置36は使用しないので、タッチパネルディスプレイ17が動作不可となっていない限り、処理可能である。
【００７２】
解錠コード（ロッカー作成コード）による取出処理が選択された場合には、タッチパネルディスプレイ17で、使用中と認識されている収容室16を全て表示し、荷物を取り出したい収容室16をタッチパネルディスプレイ17の表示から選択するように案内し（ステップ80）、収容室16の選択が所定時間内になされるのに待機する（ステップ81のＮＯ、ステップ82のＮＯ）。
【００７３】
収容室16の選択が所定時間内になされない場合には（ステップ81のＹＥＳ）、中断処理をする（ステップ83）。
【００７４】
収容室16の選択が所定時間内になされた場合には（ステップ82のＹＥＳ）、預入時にレシートに印字した解錠コード（ロッカー作成コード）をタッチパネルディスプレイ17から入力するように案内表示し（ステップ84）、選択された収容室16の番号に関連付けて記憶手段34に記憶されていた解錠コードと一致する解錠コード（ロッカー作成コード）の入力が所定時間内になされるのを待機する（ステップ85のＮＯ、ステップ86のＮＯ）。
【００７５】
選択された収容室16の番号に関連付けて記憶手段34に記憶されていた解錠コードと一致する解錠コード（ロッカー作成コード）の入力が所定時間内になされない場合には（ステップ85のＹＥＳ）、中断処理をする（ステップ87）。なお、不正利用を防ぐため、記憶手段34に記憶している解錠コードと一致しないコードが所定回数（例えば３回）入力された場合も取出処理を中断するようにしてもよい。
【００７６】
選択された収容室16の番号に関連付けて記憶手段34に記憶されていた解錠コードと一致する解錠コード（ロッカー作成コード）の入力が所定時間内になされた場合には（ステップ86のＹＥＳ）、記憶手段34に記憶していた利用開始時刻から超過料金の有無を算出する（ステップ88）。
【００７７】
超過料金がある場合には、タッチパネルディスプレイ17で超過料金の支払いを案内表示し（ステップ89）、超過料金以上の貨幣の投入が所定時間内になされるのに待機する（ステップ90のＮＯ、ステップ91のＮＯ）。
【００７８】
超過料金以上の貨幣の投入が所定時間内になされない場合には（ステップ90のＹＥＳ）、中断処理をする（ステップ92）。
【００７９】
超過料金以上の貨幣の投入が所定時間内になされた場合には（ステップ91のＹＥＳ）、釣銭の払い出しが必要であれば釣銭を払い出す（ステップ93）。
【００８０】
超過料金がない場合、超過料金が支払われた場合には、収容室16の施錠ユニット28を解錠し（ステップ94）、解錠コード（ロッカー作成コード）による取出処理を完了する。
【００８１】
そして、利用者は、解錠された収容室16の扉27を開け、収容室16内から荷物を取り出す。
【００８２】
次に、図１１において、携帯電話による取出処理について説明する。
【００８３】
携帯電話による取出処理が選択された場合、モデム33の動作状況をチェックする（ステップ100）。
【００８４】
モデム33が動作可能な場合には（ステップ100のＮＯ）、タッチパネルディスプレイ17で、ロッカーの電話番号と利用者の所有する携帯電話からロッカーに電話をかけるように案内する画面を表示する（ステップ101）。
【００８５】
モデム33が動作不可の場合には（ステップ100のＹＥＳ）、タッチパネルディスプレイ17で、利用者の所有する携帯電話の携帯電話番号をタッチパネルディスプレイ17から手入力するように案内する画面を表示する（ステップ102）。
【００８６】
携帯電話からの着信があって通知される携帯電話番号の取得またはタッチパネルディスプレイ17から手入力される携帯電話番号の取得が所定時間内になされるのに待機する（ステップ103のＮＯ、ステップ104のＮＯ）。
【００８７】
携帯電話番号の取得が所定時間内にない場合には（ステップ103のＹＥＳ）、中断処理をする（ステップ105）。
【００８８】
携帯電話番号の取得が所定時間内にあった場合には（ステップ104のＹＥＳ）、取得した携帯電話番号が記憶手段34に解錠コードとして記憶されているか確認する（ステップ106）。
【００８９】
取得した携帯電話番号が記憶手段34に解錠コードとして記憶されていない場合には（ステップ106のＮＯ）、中断処理をする（ステップ107）。
【００９０】
取得した携帯電話番号が記憶手段34に解錠コードとして記憶されている場合には（ステップ106のＹＥＳ）、ステップ88に進み、上述したように超過料金の有無に応じた同様の処理を行い、携帯電話による取出処理を完了する。ただし、解錠する収容室16は、携帯電話番号と関連付けて記憶手段34に記憶していた番号の収容室16である。
【００９１】
次に、図１２において、非接触式ＩＣカードによる取出処理について説明する。
【００９２】
非接触式ＩＣカードによる取出処理が選択された場合、カードＲ／Ｗ22の動作状況をチェックする（ステップ110）。
【００９３】
カードＲ／Ｗ22が動作可能な場合には（ステップ110のＮＯ）、タッチパネルディスプレイ17で、利用者の所有する非接触式ＩＣカードをカードＲ／Ｗ22で読み取らせるように案内を表示（ステップ111）。
【００９４】
カードＲ／Ｗ22が動作不可の場合には（ステップ110のＹＥＳ）、タッチパネルディスプレイ17で、利用者の所有する非接触式ＩＣカードの裏面などに表示されているカードＩＤをタッチパネルディスプレイ17から手入力するように案内する画面を表示する（ステップ112）。
【００９５】
非接触式ＩＣカードのカードＩＤをカードＲ／Ｗ22で取得またはタッチパネルディスプレイ17から手入力されるカードＩＤの取得が所定時間内になされるのに待機する（ステップ113のＮＯ、ステップ114のＮＯ）。
【００９６】
カードＩＤの取得が所定時間内にない場合には（ステップ113のＹＥＳ）、中断処理をする（ステップ115）。
【００９７】
カードＩＤの取得が所定時間内にあった場合には（ステップ114のＹＥＳ）、取得したカードＩＤが記憶手段34に解錠コードとして記憶されているか確認する（ステップ116）。
【００９８】
取得したカードＩＤが記憶手段34に解錠コードとして記憶されていない場合には（ステップ116のＮＯ）、中断処理をする（ステップ117）。
【００９９】
取得したカードＩＤが記憶手段34に解錠コードとして記憶されている場合には（ステップ116のＹＥＳ）、ステップ88に進み、上述したように超過料金の有無に応じた同様の処理を行い、非接触式ＩＣカードによる取出処理を完了する。ただし、解錠する収容室16は、カードＩＤと関連付けて記憶手段34に記憶していた番号の収容室16であり、超過料金がある場合には非接触式ＩＣカードから引き落としてもよい。
【０１００】
このように、ロッカー装置11では、印字装置36が動作不能となって解錠コード（ロッカー作成コード）を印字したレシートを発行できなくなったとき、解錠コード（ロッカー作成コード）による荷物の預け入れはできなくなっても、解錠コード（ロッカー作成コード）の入力による荷物の取り出しはできる。また、モデム33、カードＲ／Ｗ22が動作不能となって利用者の携帯電話からの着信や非接触式ＩＣカードの読み取りによる携帯電話番号やカードＩＤを読み取れなくなったとき、携帯電話や非接触式ＩＣカードによる荷物の預け入れはできなくなっても、携帯電話番号やカードＩＤの手入力により荷物の取り出しはできる。
【０１０１】
したがって、解錠コード処理機能の一部が使用不能となっても、他の使用可能な解錠コード処理機能を停止させることなく縮退運用でき、ロッカー利用効率をできる限り維持し、利用者へのサービス低下を低減できる。
【０１０２】
なお、情報記録担体としては、携帯電話、非接触式ＩＣカードなどに限らず、非接触式ＩＣカードに用いられる電子マネー対応のＩＣチップを搭載した携帯電話や、プリペイドカードなども利用できるようにしてもよい。
【図面の簡単な説明】
【０１０３】
【図１】本発明の一実施の形態を示すロッカー装置の制御関連のブロック図である。
【図２】同上ロッカー装置の正面図である。
【図３】同上ロッカー装置における縮退運用を示す表である。
【図４】同上ロッカー装置における預け入れ、取り出しの概略を示すフローチャートである。
【図５】同上ロッカー装置における預入処理を示すフローチャートである。
【図６】同上ロッカー装置における預入処理時の解錠コード作成による受付処理を示すフローチャートである。
【図７】同上ロッカー装置における預入処理時の携帯電話による受付処理を示すフローチャートである。
【図８】同上ロッカー装置における預入処理時の非接触式ＩＣカードによる受付処理を示すフローチャートである。
【図９】同上ロッカー装置における取出処理を示すフローチャートである。
【図１０】同上ロッカー装置における取出処理時の解錠コードによる受付処理を示すフローチャートである。
【図１１】同上ロッカー装置における取出処理時の携帯電話による受付処理を示すフローチャートである。
【図１２】同上ロッカー装置における取出処理時の非接触式ＩＣカードによる受付処理を示すフローチャートである。
【符号の説明】
【０１０４】
11    ロッカー装置
32    手入力手段
34    記憶手段
36    印字装置
38    利用者コード読取手段
39    解錠コード作成手段
40    認証手段
41    制御手段
【図１】
0004597030.tif 000002
【図２】
0004597030.tif 000003
【図３】
0004597030.tif 000004
【図４】
0004597030.tif 000005
【図５】
0004597030.tif 000006
【図６】
0004597030.tif 000007
【図７】
0004597030.tif 000008
【図８】
0004597030.tif 000009
【図９】
0004597030.tif 000010
【図１０】
0004597030.tif 000011
【図１１】
0004597030.tif 000012
【図１２】
0004597030.tif 000013